(57)【要約】【課題】光出力を迅速かつ確実に停止させる。【解決手段】レーザーダイオード２は、光出力を生成する。ＬＤ駆動回路３は、ＬＤ駆動電流制御電圧に応じてレーザーダイオード２を駆動する。スイッチ１は、外部から入力される光出力シャットダウン制御信号ＴｘＥＮＡＢＬＥに応じてレーザーダイオード２のアノードを電源から切り離して接地する。【選択図】  図１
2009016391.tif 000002
【特許請求の範囲】
【請求項１】
レーザーダイオードの光出力を停止させる光出力シャットダウン回路であって、
光出力を生成するレーザーダイオードと、
外部から入力される光出力シャットダウン制御信号に応じて前記レーザーダイオードのアノードを電源から切り離して接地するスイッチとを備えることを特徴とする光出力シャットダウン回路。
【請求項２】
請求項１記載の光出力シャットダウン回路と、
前記レーザーダイオードのカソードに接続され、制御電圧に応じて前記レーザーダイオードを駆動する駆動回路とを備えることを特徴とする光送信機。
【請求項３】
レーザーダイオードの光出力を停止させる光出力停止方法であって、
外部から入力される光出力シャットダウン制御信号を受ける手順と、
この光出力シャットダウン制御信号により光出力の停止が指示されたときに、レーザーダイオードのアノードを電源から切り離して接地する切替手順とを備えることを特徴とする光出力停止方法。
【発明の詳細な説明】
【技術分野】
【０００１】
本発明は、光通信に用いられる光送信機に係り、特に光出力を停止させる光出力シャットダウン回路、光送信機および光出力停止方法に関するものである。
【背景技術】
【０００２】
従来の光送信機の一例を図２に示す。光送信機は、レーザーダイオード（ＬＤ）２１と、ＬＤ駆動回路２２とを有する。ＬＤ駆動回路２２は、ローパスフィルタ２２０と、オペアンプ２２１と、トランジスタ２２２と、抵抗２２３とから構成される。ＬＤ駆動回路２２は、ＬＤ駆動電流制御電圧に応じた駆動電流をＬＤ２１に供給する。
このような光送信機において光出力を停止させるには、ＬＤ駆動回路２２に入力するＬＤ駆動電流制御電圧を０Ｖにする。これにより、ＬＤ２１の駆動電流を遮断して光出力を停止していた（例えば特許文献１参照）。
【０００３】
また、別の光出力停止手段として、特許文献２に開示されたシャットダウン回路がある。このシャットダウン回路では、ＬＤの電源供給ラインにトランジスタを設け、光出力を停止させる場合には、トランジスタをオフにして、ＬＤのアノードへの電源供給をオフにするようにしていた。
【０００４】
【特許文献１】特開２００６−１９１３０９号公報
【特許文献２】特開２００３−３３２９８２号公報
【発明の開示】
【発明が解決しようとする課題】
【０００５】
図２に示した光送信機の場合、ＬＤ駆動回路２２に、ＬＤ駆動電流制御電圧の雑音を除去するローパスフィルタ２２０を使用していた。このローパスフィルタ２２０は、抵抗とコンデンサで構成され、例えば抵抗値が２２ｋΩ、コンデンサの容量は０．１μＦ、雑音カットオフ周波数は７２Ｈｚで、時定数は２．２ｍｓｅｃであった。このローパスフィルタ２２０のために、ＬＤ駆動電流制御電圧が０ＶになってからＬＤ２１の駆動電流が遮断されるまで、ローパスフィルタ２２０の時定数分、遅延が生じていた。すなわち、図２に示した光送信機では、光出力停止の指示を受けてから完全に光出力停止となるまでに時間がかかるという問題点があった。
【０００６】
また、ＬＤ駆動電流制御電圧が０Ｖとなって、ＬＤ駆動回路２２のオペアンプ２２１の非反転入力端子が０Ｖになったとしても、オペアンプ２２１の入力オフセット電圧誤差により、オペアンプ２２１の反転入力端子が０Ｖにならず、わずかにプラス電圧が有る場合があった。この場合、ＬＤ２１の駆動電流が完全に遮断されず、ＬＤ２１から光が僅かに出力されることになる。すなわち、図２に示した光送信機では、完全な光出力停止とならない場合があった。
【０００７】
また、特許文献２に開示されたシャットダウン回路では、ＬＤの電源にトランジスタのソース端子を接続し、ＬＤのアノードにトランジスタのドレイン端子を接続し、トランジスタのゲート端子を論理回路で制御して、ＬＤのアノードへの電源供給をトランジスタで遮断するようにしている。しかしながら、この構成では、論理回路の論理電圧によっては、トランジスタが完全なオフとならず、完全な光出力停止とならない可能性があった。
【０００８】
本発明は、上記課題を解決するためになされたもので、光出力を迅速かつ確実に停止させることができる光出力シャットダウン回路、光送信機および光出力停止方法を提供することを目的とする。
【課題を解決するための手段】
【０００９】
本発明は、レーザーダイオードの光出力を停止させる光出力シャットダウン回路であって、光出力を生成するレーザーダイオードと、外部から入力される光出力シャットダウン制御信号に応じて前記レーザーダイオードのアノードを電源から切り離して接地するスイッチとを備えることを特徴とするものである。
また、本発明の光送信機は、前記光出力シャットダウン回路と、前記レーザーダイオードのカソードに接続され、制御電圧に応じて前記レーザーダイオードを駆動する駆動回路とを備えることを特徴とするものである。
【００１０】
また、本発明の光出力停止方法は、外部から入力される光出力シャットダウン制御信号を受ける手順と、この光出力シャットダウン制御信号により光出力の停止が指示されたときに、レーザーダイオードのアノードを電源から切り離して接地する切替手順とを備えることを特徴とするものである。
【発明の効果】
【００１１】
本発明においては、以下に記載するような効果を奏する。本発明の第１の効果は、光出力停止時、高速に切り替わるスイッチによって、レーザーダイオードのアノードを電源から切り離して接地するため、レーザーダイオードのアノードとカソードが例えば数十ナノ秒程度で同電位になり、迅速に光出力を停止できることである。本発明では、駆動回路の制御時定数による遮断遅れがないので、従来の光送信機に比べて、光出力停止の指示を受けてから完全に光出力停止となるまでの時間を短縮することができる。
本発明の第２の効果は、光出力停止時、スイッチによって、レーザーダイオードのアノードを電源から切り離して接地するため、レーザーダイオードのアノードとカソードが同電位になり、確実に光出力を停止できることである。本発明では、駆動回路のオフセット電圧等による不確実な遮断を回避することができる。
【発明を実施するための最良の形態】
【００１２】
以下、本発明の実施例について図面を参照して説明する。図１は本発明の実施例に係る光出力シャットダウン回路を含む光送信機の構成を示すブロック図である。
本実施例の光送信機は、スイッチ１と、レーザーダイオード（ＬＤ）２と、ＬＤ駆動回路３とを有する。
【００１３】
スイッチ１は、ＬＤ２のアノードをＶＣＣ（プラス電源電圧）もしくはグランドに接続するスイッチで、光出力シャットダウン制御信号ＴｘＥＮＡＢＬＥに応じて光を出力するか、停止させるかの制御を行う。スイッチ１としては、数十ナノ秒程度で高速に切り替わるスイッチを使用する。高速で切り替わるスイッチの一例としては、例えばマキシム・インテグレーテッド・プロダクツ製のＭＡＸ４７８１があり、Ａｄｄｒｅｓｓ  Ｔｒａｎｓｉｔｉｏｎ  Ｔｉｍｅは最大で２７ナノ秒である。
【００１４】
ＬＤ２は、供給される駆動電流に応じた光を出力する。ＬＤ駆動回路３は、ＬＤ２に供給する駆動電流を制御する。このＬＤ駆動回路３は、ローパスフィルタ３０と、オペアンプ３１と、トランジスタ３２と、抵抗３３とから構成される。ローパスフィルタ３０は、ＬＤ駆動電流制御電圧の雑音を除去する。トランジスタ３２は、ドレイン端子がＬＤ２のカソードに接続され、ソース端子がオペアンプ３１の反転入力端子及び抵抗３３に接続され、ゲート端子がオペアンプ３１の出力に接続されている。オペアンプ３１は、ローパスフィルタ３０の出力に応じてトランジスタ３２を制御することにより、ＬＤ２に流れる電流を制御する。
【００１５】
次に、図１に示す本実施例の動作について説明する。まず、光出力シャットダウン制御信号ＴｘＥＮＡＢＬＥが光出力開始を示す値（例えば「Ｌ」レベル）になると、スイッチ１は、ＬＤ２のアノードに電源電圧ＶＣＣを供給する。これにより、ＬＤ駆動電流制御電圧に応じてＬＤ駆動回路３がＬＤ２に駆動電流を流すと、ＬＤ２から光が出力される。
【００１６】
次に、光出力シャットダウン制御信号ＴｘＥＮＡＢＬＥが光出力停止を示す値（例えば「Ｈ」レベル）になると、スイッチ１は、数十ナノ秒程度でＬＤ２のアノードをグランドに接続する。これにより、ＬＤ２のアノードとカソードが同電位になるため、ＬＤ２からの光出力は停止する。
【００１７】
本実施例においては、以下に記載するような効果を奏する。第１の効果は、光出力停止時、数十ナノ秒程度で高速に切り替わるスイッチ１によって、ＬＤ２のアノードをグランドに接続するため、ＬＤ２のアノードとカソードが数十ナノ秒程度で同電位になり、迅速に光出力を停止できることである。
第２の効果は、光出力停止時、スイッチ１によって、ＬＤ２のアノードをグランドに接続するため、ＬＤ２のアノードとカソードが同電位になり、確実に光出力を停止できることである。
【産業上の利用可能性】
【００１８】
本発明は、光通信に用いられる光送信機に適用することができる。
【図面の簡単な説明】
【００１９】
【図１】本発明の実施例に係る光出力シャットダウン回路を含む光送信機の構成を示すブロック図である。
【図２】従来の光送信機の一例を示すブロック図である。
【符号の説明】
【００２０】
１…スイッチ、２…レーザーダイオード、３…ＬＤ駆動回路、３０…ローパスフィルタ、３１…オペアンプ、３２…トランジスタ、３３…抵抗。
【図１】
2009016391.tif 000003
【図２】
2009016391.tif 000004